(57)【要約】【課題】安全性を確保しながら、コネクタ接続時には確実に導通することを目的とする。【解決手段】雄型コネクタと雌型コネクタとを備える、生体電極に用いるコネクタ接続構造であって、雄型コネクタは、第1導電層と、第1導電層の表面の少なくとも一部を露出させる絶縁層と、を有し、雌型コネクタは、雄型コネクタを収容するカバー部と、雄型コネクタを固定する固定部と、第１導電層と電気的に接続される第２導電層と、第１導電層を背面側から第２導電層に向かって押し付け可能な突起部と、を有する。【選択図】図５
2014217526.tif 000002
【特許請求の範囲】
【請求項１】
雄型コネクタと雌型コネクタとを備える、生体電極に用いるコネクタ接続構造であって、
前記雄型コネクタは、
第1導電層と、前記第1導電層の表面の少なくとも一部を露出させる絶縁層と、を有し、
前記雌型コネクタは、
前記雄型コネクタを収容するカバー部と、前記雄型コネクタを固定する固定部と、前記第１導電層と電気的に接続される第２導電層と、前記第１導電層を背面側から前記第２導電層に向かって押し付け可能な突起部と、を有する、コネクタ接続構造。
【請求項２】
前記雄型コネクタは、
前記第１導電層及び前記絶縁層を支持する支持層をさらに有し、
前記第１導電層の厚さが前記絶縁層の厚さよりも薄いことにより、前記第１導電層の表面が前記絶縁層の表面よりも奥まった位置に配置されており、
前記雌型コネクタは、
前記突起部が、前記支持層を介して前記第１導電層を背面側から押し付け可能である、請求項１に記載のコネクタ接続構造。
【請求項３】
前記雄型コネクタの前記絶縁層には、前記雄型コネクタと前記雌型コネクタとの接続方向に延びるスリット状の、電極露出部が形成されており、
前記雌型コネクタの前記突起部は、前記電極露出部の形状及び位置に応じて前記接続方向に延びる長尺の部材である、請求項１又は２に記載のコネクタ接続構造。
【請求項４】
前記第１導電層は、銀-塩化銀を含む、請求項１〜３のいずれか一項に記載のコネクタ接続構造。
【請求項５】
前記第２導電層は、導電性炭素を含む、請求項１〜４のいずれか一項に記載のコネクタ接続構造。
【請求項６】
電極部と、
請求項１〜５のいずれか一項に記載のコネクタ接続構造と、
前記電極部と前記コネクタ接続構造とを電気的に接続するリード部と、を備える生体電極。
【請求項７】
前記リード部は、
一端が前記電極部と接続される接続導電層であり、他端が前記雄型コネクタである第１のリード部と、
一端が前記雌型コネクタであり、他端が電子機器に接続される機器接続コネクタである第２のリード部と、を有し、
前記接続導電層、及び前記第１導電層は、前記第１のリード部の導体部と一体に形成されている、請求項６に記載の生体電極。
【発明の詳細な説明】
【技術分野】
【０００１】
本発明の一形態は、生体電極に用いるコネクタ接続構造及び生体電極に関する。
【背景技術】
【０００２】
従来、Ｘ線透過性の生体電極が知られている。例えば下記特許文献１には、電極基材の片面上に、Ａｇ／ＡｇＣｌを含む導電層を有し、導電層上に、導電性粘着材及び炭素繊維リード線を有する生体電極が記載されている。
【先行技術文献】
【特許文献】
【０００３】
【特許文献１】特開平１０−２４８８２０号公報
【発明の概要】
【発明が解決しようとする課題】
【０００４】
上記特許文献１に記載されているような生体電極において、リード線における炭素繊維の量を減らすことで、生体電極のコストを低減することができる。そこで、リード線を、電極基材側に接続されたリード線と機器側に接続されたリード線とに分割するとともに、電極基材側に接続されたリード線については所定の導電層により構成することで、リード線における炭素繊維の量を減らすことが考えられる。
【０００５】
このような分割されたリード線は、コネクタ接続により互いに接続される。しかしながら、コネクタ接続における雄型コネクタは、コネクタ接続時以外は導電層が露出することとなり、当該露出した導電層がプラグソケット等に挿入されると導通するおそれがある。一方で、雄型コネクタが雌型コネクタにコネクタ接続された際には、確実に導通することが求められる。従って、安全性を確保しながら、コネクタ接続時には確実に導通することが要請されている。
【課題を解決するための手段】
【０００６】
本発明の一形態に係るコネクタ接続構造は、雄型コネクタと雌型コネクタとを備える、生体電極に用いるコネクタ接続構造であって、雄型コネクタは、第1導電層と、第1導電層の表面の少なくとも一部を露出させる絶縁層と、を有し、雌型コネクタは、雄型コネクタを収容するカバー部と、雄型コネクタを固定する固定部と、第１導電層と電気的に接続される第２導電層と、第１導電層を背面側から第２導電層に向かって押し付け可能な突起部と、を有する、コネクタ接続構造である。
【０００７】
このような形態によれば、雄型コネクタが絶縁層を有しているため、雄型コネクタがプラグソケットに挿入された場合であっても、第１導電層とプラグソケットとが導通することを抑制できる。また、雄型コネクタと雌型コネクタとを接続した際、突起部により第１導電層が第２導電層に向かって押し付け可能であるため、絶縁層から一部が露出した第１導電層と第２導電層とを導通させることができる。以上により、雄型コネクタがプラグソケットに挿入されたような場合にも導通することを抑制し安全性を確保しながら、コネクタ接続時には確実に導通させることができる。
【０００８】
別の形態に係るコネクタ接続構造では、雄型コネクタは、第１導電層及び絶縁層を支持する支持層をさらに有し、第１導電層の厚さが絶縁層の厚さよりも薄いことにより、第１導電層の表面が絶縁層の表面よりも奥まった位置に配置されており、雌型コネクタは、突起部が、支持層を介して第１導電層を背面側から押し付け可能であってもよい。
【０００９】
別の形態に係るコネクタ接続構造では、雄型コネクタの絶縁層には、雄型コネクタと雌型コネクタとの接続方向に延びるスリット状の、電極露出部が形成されており、雌型コネクタの突起部は、電極露出部の形状及び位置に応じて接続方向に延びる長尺の部材であってもよい。
【００１０】
別の形態に係るコネクタ接続構造では、第１導電層は、銀-塩化銀を含んでいてもよい。また、別の形態に係るコネクタ接続構造では、第２導電層は、導電性炭素を含んでいてもよい。
【００１１】
本発明の一形態に係る生体電極は、電極部と、上述のコネクタ接続構造と、電極部とコネクタ接続構造とを電気的に接続するリード部と、を備えてよい。また、別の形態に係る生体電極では、リード部は、一端が電極部と接続される接続導電層であり、他端が雄型コネクタである第１のリード部と、一端が雌型コネクタであり、他端が電子機器に接続される機器接続コネクタである第２のリード部と、を有し、接続導電層、及び第１導電層は、第１のリード部の導体部と一体に形成されていてもよい。
【発明の効果】
【００１２】
本発明の一側面によれば、安全性を確保しながら、コネクタ接続時には確実に導通することができる。
【図面の簡単な説明】
【００１３】
【図１】図１は、実施形態に係る生体電極の平面図である。
【図２】図２は、図１に示すII-II線に沿った展開断面図である。
【図３】図３は、雄型コネクタの底面図である。
【図４】図４は、図３に示すIV-IV線に沿った断面図である。
【図５】図５は、雌型コネクタの分解斜視図である。
【図６】図６は、固定部の斜視図である。
【図７】図７は、突起部に押し付けられた雄型コネクタの様子を示す概念図である。
【図８】図８は、コネクタ接続構造の断面図である。
【図９】図９は、電極部、雄型コネクタ、及び第１のリード部の製造方法を示す図である。
【図１０】図１０は、実施例の評価結果を示す表である。
【図１１】図１１は、実施例の評価結果を示す表である。
【図１２】図１２は、実施例の評価結果を示す表である。
【図１３】図１３は、変形例に係る固定部の斜視図である。
【発明を実施するための形態】
【００１４】
以下、添付図面を参照しながら本発明の実施形態を詳細に説明する。なお、図面の説明において、同一又は同等の要素には同一の符号を付し、重複する説明を省略する。
【００１５】
図１を用いて、本実施形態に係る生体電極の構成について説明する。生体電極１は、生体に貼りつけたままでＸ線撮影を行っても、画像中に影となって映り込むことを抑制できる構成を有している。生体電極１は、例えば、心電図検査、筋電図検査、脳波測定などに用いられる電極である。
【００１６】
図１に示すように、生体電極１は、生体に貼り付けて電気信号を検出する電極部２と、電極部２と電気的に接続されたリード部であるリード線３と、電子機器（不図示）と接続される機器接続コネクタであるコネクタ４と、を備えている。電極部２にて検出された電気信号は、リード線３及びコネクタ４を介して電子機器へ送信される。なお、コネクタ４の形状や大きさは特に限定されず、接続される電子機器に応じて適宜変更されてよい。
【００１７】
リード線３は、第１のリード部である第１リード線３１及び第２のリード部である第２リード線３２を有する。第１リード線３１は、一端が電極部２と接続される導体部５であり、他端が雄型コネクタ６である。第１リード線３１の導体部５及び雄型コネクタ６間はリード部３１ａにより接続されている。また、第２リード線３２は、一端が雌型コネクタ７であり、他端が上述したコネクタ４である。コネクタ４は、電気的接続部が露出していないＤＩＮ規格のコネクタであることが望ましい。第２リード線３２の雌型コネクタ７及びコネクタ４間は、リード部３２ａにより接続されている。リード部３２ａは、当該リード部３２ａの延在方向に延びる導電性素材（金属線または炭素繊維束）と、導電性素材（金属線または炭素繊維束）を覆う被覆部と、を備えている。導電性素材（金属線または炭素繊維束）としては、銅線の単線または撚り線、炭素繊維束としては、例えばポリアクリロニトリル遷移を炭素化したＰＡＮ系炭素繊維が用いられる。また、被覆部としてはポリ塩化ビニルなどの可撓制を有する材料が用いられる。なお、リード部３２ａに、炭素繊維束を利用する場合は、炭素繊維束を補強する補強材として、例えばポリエステルなどのＸ線透過性を有する樹脂製の繊維を被覆部内に有していてよい。第１リード線３１と第２リード線３２とは、雄型コネクタ６と雌型コネクタ７とがコネクタ接続されたコネクタ接続構造８により、電気的に接続されている。第１リード線３１はＸ線を透過しやすい素材が使われ、第２リード線３２はＸ線を透過しやすい素材に限定することなく、電気的に接続できる構成であればよい。
【００１８】
図２に示す例では、電極部２及び第１リード線３１の詳細な構成について説明する。なお、図２においては理解のために一部の構成要素の厚さを強調して記載しており、各構成要素間の厚さ関係は現実と異なる。以下の説明においては、図２に示す生体電極１の姿勢に基づいて「上」「下」の語を用いて説明する。図２に示すように、電極部２は、第１リード線３１を支持する支持部材１１と、導体部５の一部を覆う被覆テープ１２と、生体に貼り付けられる導電性粘着部材１３と、導電性粘着部材１３を覆う剥離部材１４と、支持部材１１上に貼り付けられた色テープ１５と、を備えている。第１リード線３１の導体部５の上面５ａは、導体支持部材５１により支持されている。
【００１９】
導体部５の先端部分、及び、導体支持部材５１の先端部分は、支持部材１１と導電性粘着部材１３とに挟まれるように配置されている。すなわち、導体部５の下面５ｂには導電性粘着部材１３の上面１３ａが接合されており、導体支持部材５１の上面５１ａは支持部材１１の下面１１ｂに支持されている。なお、被覆テープ１２が支持部材１１と導電性粘着部材１３とに挟まれるように配置されている領域においては、導体支持部材５１の上面５１ａは被覆テープ１２の下面１２ｂに支持されている。導電性粘着部材１３における下面１３ｂは、剥離部材１４で覆われている。生体電極１の使用時には、導電性粘着部材１３から剥離部材１４が剥離される。
【００２０】
導体部５及び導体支持部材５１の、支持部材１１と導電性粘着部材１３とに挟まれていない部分は、保護部材５２に挟まれるように配置されている。すなわち、導体部５の下面５ｂ及び導体支持部材５１の上面５１ａは、保護部材５２に挟まれるように覆われている。導体部５、導体支持部材５１、及び保護部材５２は、第１リード線３１の延在方向に沿って、他端側（雄型コネクタ６が設けられた側）まで延在している。なお、導体部５のうち、保護部材５２から露出して導電性粘着部材１３と接続される部分は、第１リード線３１（第１のリード部）において、電極部２と電気的に接続可能な接続導電層９として機能する。本実施形態では、接続導電層９は、導体部５と一体に形成されている。接続導電層９は、導体支持部材５１上にて、導体部５のうち保護部材５２に覆われている部分から、継目なく連続的に延びている（なお、以下の説明では、特に言及がない限り、導体部５には接続導電層９も含まれるものとして説明を行う）。
【００２１】
また、支持部材１１の上面１１ａには色テープ１５が張り付けられており、該色テープ１５の色と、雄型コネクタ６に貼り付けられた色テープ６１（図１参照）の色とを参照することにより、複数の第１リード線３１が混在する環境下においても、電極部２及び雄型コネクタ６の正しい組合せを把握できる。
【００２２】
導体部５として、例えば、熱可塑性フィルムに銀-塩化銀（以下、「Ａｇ／ＡｇＣｌ」と称する）を含むインクを塗布したものなどを用いてもよい。なお、導体部５の材料は、純粋なＡｇ／ＡｇＣｌでなくともよく、柔軟なバインダー、可塑剤を含有していてよい。また、Ａｇ／ＡｇＣｌの一部を導電性カーボンに置き変えて用いてよい。支持部材１１、被覆テープ１２、及び導体支持部材５１として、例えば、医療用のプラスチックバッキングやフォームバッキングなどのバッキングテープを用いてもよい。その他、支持部材１１、被覆テープ１２、及び導体支持部材５１として、紙、不織布などを用いてもよい。導電性粘着部材１３として、例えば、アクリル共重合体及び電解質を含むハイドロジェルを用いてもよい。剥離部材１４として、例えば、ペーパーバッキングや、シリコンＬＡＢ（Low Adhesion Backsize）でコーティングされたフィルムバッキングなどのライナーを用いてもよい。その他、剥離部材１４として、フッ素系剥離剤をコーティングしたバッキングフィルムなどを用いてもよい。ただし、各構成要素は、生体電極１の電極部２及び第１リード線３１として商業上利用されている全てのものを適用可能である。保護部材５２として、例えばポリエチレンフォームテープや、ＰＶＣフォームテープなどのクッション材を用いてもよい。
【００２３】
なお、図２に示す電極部２及び第１リード線３１の構成は一例に過ぎず、各構成要素の大きさや形状や位置関係は適宜変更してよい。また、電極部２は少なくとも導電性粘着部材１３を、第１リード線３１は少なくとも導体部５を、それぞれ備えていればよく、他の構成要素は適宜省略してもよい。また、電極部２及び第１リード線３１は、図２に示す構成要素以外の構成要素を追加してもよい。
【００２４】
次に、雄型コネクタ６について詳細に説明する。上述したように、雄型コネクタ６は、第１リード線３１における他端（一端を導体部５とした場合の他端）に設けられている。図３及び図４に示すように、雄型コネクタ６は、その先端部分であって雌型コネクタ７（図１参照）とコネクタ接続される部分であるコネクタ接続部６０ｘと、その基端部分である基端部６０ｙと、を備えている。なお、図３は、雄型コネクタ６の底面図（図１に示した雄型コネクタ６の裏面を表した図）であるため、図４においては底面側が紙面上側を向き、上面側が紙面下側を向いている。図４の説明における「上」「下」の語は、紙面上での「上」「下」とは反対である。また、図４においては理解のために一部の構成要素の厚さを強調して記載しており、各構成要素間の厚さ関係は現実と異なる。
【００２５】
図２に示す例で説明したとおり、第１リード線３１では、導体部５及び導体支持部材５１が保護部材５２に挟まれるように覆われた構成が他端側（雄型コネクタ６が設けられた側）まで延在している。より具体的には、導体部５が保護部材５２に挟まれるように覆われた構成は、基端部６０ｙとコネクタ接続部６０ｘとの境界まで延在している。すなわち、基端部６０ｙは、導体部５と、導体部５の上面５ａを支持する導体支持部材５１と、導体部５の下面５ｂ及び導体支持部材５１の上面５１ａを挟み込むように覆う保護部材５２と、を有している。基端部６０ｙにおける保護部材５２のうち、導体支持部材５１を覆う保護部材５２には、色テープ６１が貼り付けられている。
【００２６】
コネクタ接続部６０ｘは、第１導電層６２と、第１導電層６２を支持する導電層支持部材６３と、第１導電層６２の表面６２ｂの少なくとも一部を露出させる絶縁層６４と、導電層支持部材６３を支持する支持部材６５と、を有している。なお、第１導電層６２は導体部５が雄型コネクタ６の先端６０ｚ方向に延びたものであり、導電層支持部材６３は導体支持部材５１が雄型コネクタ６の先端６０ｚ方向に延びたものである。すなわち、第１導電層６２及び導体部５、導電層支持部材６３及び導体支持部材５１は、それぞれ一体形成されている。
【００２７】
第１導電層６２は、第１リード線３１の導体部５と一体に形成された、例えばＡｇ／ＡｇＣｌ（銀-塩化銀）を含有する導電層であり、導電層支持部材６３の下面６３ｂに設けられている。第１導電層６２の厚さＴ１は、２０μｍ以下とされてよく、１０μｍ以下とされてよい。このような厚さとすることにより、後述する絶縁層との厚さとの関係で、雄型コネクタ６がプラグソケット等に挿入された場合においても、導通することを抑制できる。なお、コネクタ接続時の確実な導通性を確保するため、厚さＴ１は、５μｍ以上とされてよい。第１導電層６２が設けられている領域は、下面６３ｂの一部の領域であり、具体的には、絶縁層６４に形成される電極露出部６６（後述）の領域に対応する領域である。詳細は後述する。
【００２８】
導電層支持部材６３は、第１導電層６２の上面６２ａを支持する部材（支持層）であり、例えば、医療用のバッキングテープである。絶縁層６４は、導電層支持部材６３の下面６３ｂを覆っている。絶縁層６４は、電気を通しにくい性質を持つ絶縁体であり、例えば、導電層支持部材６３と同様の部材である医療用のバッキングテープなどが用いられる。絶縁層６４の厚さＴ２は１００μｍ程度とされてよい。すなわち、第１導電層６２の厚さＴ１は絶縁層６４の厚さＴ２よりも薄く、このことで、第１導電層６２の表面６２ｂは、絶縁層６４の表面６４ｂよりも奥まった位置に配置されている。
【００２９】
絶縁層６４にはスリット状の電極露出部６６が形成されている。電極露出部６６は、絶縁層６４における基端部６０ｙとの境界から雄型コネクタ６の先端６０ｚに向かう方向、すなわち、雄型コネクタ６と雌型コネクタ７との接続方向に延びるように形成されている。電極露出部６６は、絶縁層６４の幅方向中心に設けられている。電極露出部６６の幅Ｗ１は１ｍｍ以下とされてよい。また、電極露出部６６の長さ方向（雄型コネクタ６と雌型コネクタ７との接続方向）の長さは絶縁層６４における基端部６０ｙとの境界から雄型コネクタ６の先端６０ｚ近傍まで延びる長さとされてよい。
【００３０】
第１導電層６２が設けられる領域は、上述したように、導電層支持部材６３の下面６３ｂにおける電極露出部６６の領域に対応する領域である。具体的には、第１導電層６２が設けられる領域は、雄型コネクタ６の厚さ方向から見た場合に、電極露出部６６の領域と略一致しているか、若しくは、電極露出部６６の領域よりも大きい。絶縁層６４は、コネクタ接続部６０ｘにおける最下層（最底面）の層であるため、絶縁層６４に形成された電極露出部６６からは、第１導電層６２の少なくとも一部が露出可能となる。
【００３１】
支持部材６５は、導電層支持部材６３の上面６３ａを支持する部材（支持層）であり、例えば、絶縁層６４と同様の部材が用いられる。支持部材６５は、コネクタ接続部６０ｘの最上層であり、後述するスライドロックのすべり防止の用途でも用いられている。なお、導電層支持部材６３、絶縁層６４、及び支持部材６５は、長さ方向（雄型コネクタ６と雌型コネクタ７との接続方向）及び幅方向において設けられている領域が略一致しており、長さ方向には雄型コネクタ６の先端６０ｚまで延び、幅方向にはコネクタ接続部６０ｘの幅方向における領域全体に亘って設けられている。雄型コネクタ６の幅方向における大きさは、例えば９．５ｍｍ程度である。
【００３２】
次に、雌型コネクタ７について詳細に説明する。上述したように、雌型コネクタ７は、第２リード線３２における一端に設けられている。図５に示すように、雌型コネクタ７は、上カバー部７２及び下カバー部７３を有して雄型コネクタ６を収容するカバー部７１と、上カバー部７２に設けられた、雄型コネクタ６を固定する固定部７４と、を備えている。
【００３３】
上カバー部７２は、対向配置された一対の側壁部７５と、一対の側壁部７５の先端７５ａ同士を連絡する先端部７６と、側壁部７５の基端７５ｂ側から先端７５ａ側に向かって側壁部７５に沿って延びるガイド部７７と、を有している。側壁部７５の下端には、対向する側壁部７５方向（内側方向）に突出した係合部７５ｃが、側壁部７５の延在方向に沿って設けられている。ガイド部７７は、一対の側壁部７５それぞれに沿って１つずつ設けられており、それぞれ、側壁部７５の基端７５ｂ側から先端７５ａ側に向かって下方に傾斜しながら延びている。ガイド部７７が先端７５ａ側に向かって下方に傾斜していることにより、ガイド部７７にガイドされた固定部７４の突起部８５（後述）が、雄型コネクタ６を押し付けることができる。各ガイド部７７の基端７５ｂ側には、下カバー部７３との固定に用いられる嵌合部７７ａが設けられている。また、各ガイド部７７間には接続方向に延びるスリット状の空間が形成されており、該空間が固定部７４を嵌め込む固定部嵌め込みスペース７８となっている。固定部嵌め込みスペース７８は、上カバー部７２における幅方向中心に形成されている。
【００３４】
下カバー部７３は、リード部３２ａと接続された基端部７９と、基端部７９から雌型コネクタ７の先端に向かって延びる平板部８０と、平板部８０に埋め込まれるようにして設けられた第２導電層８１と、を有している。基端部７９には、上カバー部７２の嵌合部７７ａに対応する凹部７９ａが形成されている。また、平板部８０の両側面には、外側に張り出した張り出し部８０ｂが、平板部８０の延在方向に沿って設けられている。上カバー部７２と下カバー部７３とは、嵌合部７７ａが凹部７９ａに嵌合されるとともに、係合部７５ｃが張り出し部８０ｂに係合されることにより、一体化される。
【００３５】
平板部８０の先端８０ａは下方に傾斜している。このことにより、上カバー部７２と下カバー部７３とが一体化された状態において、雄型コネクタ６の雌型コネクタ７への入口部分を、雌型コネクタ７の厚さ方向に広くすることができる。第２導電層８１は、第１導電層６２と電気的に接続される導電層である。第２導電層８１は導電性の材料により形成されていればよく、例えば導電性炭素を含んで構成されている。第２導電層８１の材料は、純粋な導電性炭素でなくともよく、硬質な樹脂、プラスチック添加剤を含有していてよい。また、導電性炭素に代えて、グラファイト粉末を用いてよい。第２導電層８１は、平板部８０の幅方向中心部分に設けられており、長さ方向（雄型コネクタ６と雌型コネクタ７との接続方向）には、平板部８０の基端から先端８０ａ近傍（先端８０ａの下方への傾斜が始まる位置近傍）の範囲まで設けられている。
【００３６】
上カバー部７２と下カバー部７３とが一体化された状態において、雄型コネクタ６は、上カバー部７２の先端部７６、側壁部７５の先端７５ａ、下カバー部７３の平板部８０の先端８０ａで画定された領域から挿入される。該確定された領域の幅方向における大きさは雄型コネクタ６の幅方向における大きさと略一致している。よって、雄型コネクタ６が雌型コネクタ７に挿入された状態において、雄型コネクタ６は幅方向に大きく移動することはできず、雄型コネクタ６と雌型コネクタ７の幅方向における位置関係は一定に定まり、雄型コネクタ６及び雌型コネクタ７の幅方向中心は略一致する。
【００３７】
固定部７４は、ガイド部７７上における固定部７４の操作に用いる操作部８２と、操作部８２を用いた操作に応じてガイド部７７をスライドするスライド部８３と、操作部８２及びスライド部８３を連結する連結部８４と、スライド部８３に設けられた突起部８５と、を有している。固定部７４は、連結部８４が固定部嵌め込みスペース７８に嵌め込まれ、ガイド部７７の上面に操作部８２が接し、ガイド部７７の下面にスライド部８３が接した状態で、上カバー部７２に設けられている。以下、固定部７４の説明は、固定部７４が上カバー部７２に設けられた状態で説明する。
【００３８】
固定部７４は、雄型コネクタ６のコネクタ接続部６０ｘが雌型コネクタ７のカバー部７１内に挿入された状態において、操作部８２を側壁部７５の先端７５ａ側に向かって動かすことにより、雄型コネクタ６を雌型コネクタ７に固定する。該固定は、ガイド部７７の傾斜に沿って下方に移動するスライド部８３と、下カバー部７３の平板部８０及び第２導電層８１との間で雄型コネクタ６のコネクタ接続部６０ｘが挟まれることにより行われる。スライド部８３が基端７５ｂ側に位置している場合（スライド部８３がガイド部７７の傾斜上流側部分の下面に位置している場合）には、スライド部８３と平板部８０との間には十分な距離があり、雌型コネクタ７に挿入された雄型コネクタ６は固定されずに着脱自在である。一方、スライド部８３が先端７５ａ側に位置している場合（スライド部８３がガイド部７７の傾斜下流側部分の下面に位置している場合）には、スライド部８３と平板部８０との距離が近くなり、スライド部８３と平板部８０及び第２導電層８１との間で雄型コネクタ６のコネクタ接続部６０ｘが挟まれることにより雄型コネクタ６が固定される。なお、操作部８２は、ガイド部７７の傾斜方向とは反対方向、すなわち側壁部７５の基端７５ｂ側に向かって下方に傾斜しており、該形状により、操作部８２を側壁部７５の先端７５ａ側に向かって動かすことが容易になっている。
【００３９】
図６に示すように、突起部８５は、スライド部８３の裏面８３ａに設けられている。突起部８５は、裏面８３ａの幅方向中心において、上カバー部７２における固定部７４の移動方向（すなわち、雄型コネクタ６と雌型コネクタ７との接続方向）に延びる長尺の部材である。突起部８５の形状及び位置は、上述した電極露出部６６の形状及び位置に応じて決まっている。突起部８５の幅Ｗ２は１ｍｍ以下とされてよく、電極露出部６６の幅Ｗ１と同程度か、それよりも狭くされてよい。また、突起部８５の厚さＴ３は絶縁層６４の厚さＴ２よりも厚くされてよい。突起部８５の形状は，図６に示すような連続の直方体に限定されることなく、図１３（ａ）に示すような、部分的に凹状の溝で区画された部分をもたせた構造の突起部８５ａを採用してもよく、図１３（ｂ）に示すように、区画された部分の高さは同じにして、形状を半球状に突出させる構造の突起部８５ｂを採用してもよく、図１３（ｃ）に示すように、ピラミッドのような四面体構造を形成して、四角錘形状が連続して連なる構造の突起部８５ｃを採用してもよい。雄型コネクタ６が雌型コネクタ７に挿入された状態において、ガイド部７７に沿って操作部８２を側壁部７５の先端７５ａ側に動かすと、ガイド部７７の傾斜に沿って、スライド部８３と共に各種形状の突起部８５（各種形状の突起部８５とは、図６に示す突起部８５、図１３に示す突起部８５ａ，８５ｂ，８５ｃなどである。以下の説明において同様である。）も下方に移動する。そして、下方に移動した各種形状の突起部８５により、雄型コネクタ６の背面側（支持部材６５側）が押し付けられ、雄型コネクタ６の第１導電層６２が雌型コネクタ７の第２導電層８１に押し付けられる。
【００４０】
スライド部８３の裏面８３ａに設けられた各種形状の突起部８５が基端７５ｂ側に位置している場合（各種形状の突起部８５がガイド部７７の傾斜上流側部分の下面に位置している場合）には、各種形状の突起部８５と雄型コネクタ６の支持部材６５との間には距離があり、接しないか、若しくは、軽く接し各種形状の突起部８５による支持部材６５の押し付け力が弱い状態である。一方、各種形状の突起部８５が先端７５ａ側に位置している場合（各種形状の突起部８５がガイド部７７の傾斜下流側部分の下面に位置している場合）には、各種形状の突起部８５により支持部材６５が強く押し付けられることとなる。以上のように、固定部７４による固定及び各種形状の突起部８５による雄型コネクタ６の押し付けは、共に、操作部８２を側壁部７５の先端７５ａ側に動かすことにより行われる。各種形状のうち、突起部８５の形状が平面であるよりも、例えば図１３（ｃ）のように、第１導電層６２が第２導電層８１と点で接触する方が、圧力が集中しやすいため、好ましい。
【００４１】
次に、図７及び図８を参照して、各種形状の突起部８５のうち、図６の構成を採用した場合の突起部８５による雄型コネクタ６の押し付けについて詳細に説明する。なお、図７は概念図であり、雌型コネクタ７の構成としては、突起部８５を有する固定部７４のみ示している。また、雄型コネクタ６の構成としては、コネクタ接続部６０ｘに係る構成のみ示している。図７に示すように、雌型コネクタ７のカバー部７１内に雄型コネクタ６のコネクタ接続部６０ｘが挿入された状態で固定部７４による固定を行うと、固定部７４の突起部８５により雄型コネクタ６の支持部材６５が下方に押し付けられる。下方に押し付けられた支持部材６５はさらに下層の導電層支持部材６３を押し付ける。
【００４２】
ここで、上述したように、雌型コネクタ７の固定部嵌め込みスペース７８は上カバー部７２における幅方向中心に形成されており、突起部８５は固定部７４における幅方向中心に設けられているので、突起部８５は雌型コネクタ７における幅方向中心に配置されることとなる。また、雄型コネクタ６の電極露出部６６及び第１導電層６２はともに、雄型コネクタ６における幅方向中心に設けられている。そして、雄型コネクタ６が雌型コネクタ７に挿入された状態において、雄型コネクタ６及び雌型コネクタ７の幅方向中心は略一致するため、図７に示した図において、突起部８５、第１導電層６２、及び電極露出部６６は、厚さ方向の同一直線上に並ぶこととなる。
【００４３】
よって、支持部材６５に押し付けられた導電層支持部材６３は、雄型コネクタ６の幅方向中心において、さらに下層の第１導電層６２を押し付ける。上述したように、突起部８５の厚さＴ３は絶縁層６４の厚さＴ２よりも厚く、突起部８５の押し付けに起因して変形した第１導電層６２は、絶縁層６４の下面と同じか、それよりもさらに下方まで変形する。
【００４４】
図８は、雄型コネクタ６及び雌型コネクタ７のコネクタ接続構造８の断面図であり、図８（ａ）は固定部７４により雄型コネクタ６を固定する前の断面図、図８（ｂ）は固定部７４により雄型コネクタ６を固定した後の断面図である。なお、図８においては理解のために一部の構成要素の厚さを強調して記載しており、各構成要素間の厚さ関係は現実と異なる。図８（ａ）に示すように、単に雄型コネクタ６を雌型コネクタ７に挿入した状態であり固定部７４による雄型コネクタ６の固定を行う前の状態では、固定部７４のスライド部８３及び突起部８５と雄型コネクタ６の支持部材６５とは接していない。この状態では、雄型コネクタ６は雌型コネクタ７から着脱可能である。また、雄型コネクタ６の各構成（支持部材６５、導電層支持部材６３、第１導電層６２等）は変形しておらず、雄型コネクタ６の第１導電層６２と、雌型コネクタ７の第２導電層８１との間には電極露出部６６により形成される空間があり、第１導電層６２と第２導電層８１とは導通していない。
【００４５】
一方、図８（ｂ）に示すように、雄型コネクタ６を雌型コネクタに挿入し固定部７４により雄型コネクタ６を固定した状態においては、固定部７４のスライド部８３が支持部材６５に接し、スライド部８３と平板部８０との間で雄型コネクタ６が挟まれることになる。このことで、雄型コネクタ６が雌型コネクタ７に固定され、雄型コネクタ６は着脱不可となる。また、突起部８５が支持部材６５を押し付けることにより、該支持部材６５が下方に変形して下層の導電層支持部材６３を押し付け、さらに、該導電層支持部材６３が下方に変形してさらに下層の第１導電層６２を押し付けている。第１導電層６２は、電極露出部６６により形成された空間において下方に変形し、雌型コネクタ７の第２導電層と導通する。なお、雄型コネクタ６は一度限りの使用（使い捨て）であるため、変形を修正する等の性質は必要とならない。
【００４６】
次に、図９を参照して、電極部２及び第１リード線３１の製造方法の一例について説明する。なお、以下の説明は、電極部２及び第１リード線３１の製造方法の一例に過ぎず、当該製造方法に限定されるものではない。最初に、図９（ａ）に示すように、ポリエステル（ＰＥＴ）フィルム上に、Ａｇ／ＡｇＣｌインクをスクリーン印刷法で印刷し乾燥させる。Ａｇ／ＡｇＣｌインクには、米国Ercon社のR-301（塩化銀：銀＝９０:１０）を用いる。ポリエステルフィルムは導体支持部材５１及び導電層支持部材６３となり、Ａｇ／ＡｇＣｌインクは導体部５及び第１導電層６２となる。ポリエステルフィルムの厚さは１００μｍとし、Ａｇ／ＡｇＣｌインクの厚さは７μｍとする。また、導体部５の直径は１２ｍｍとし、第１導電層６２の幅は２ｍｍとし、第１導電層６２の長さは２０ｍｍとし、リード部３１ａにおける導体部分の幅は１ｍｍとし、リード部３１ａの長さは１０００ｍｍとする。
【００４７】
Ａｇ／ＡｇＣｌインクの印刷後、図９（ｂ）に示すように、ポリエステルフィルムの両面に、ポリエチレンフォームテープを被覆する。ポリエチレンフォームテープには、スリーエムヘルスケア社の #1773 FoamTapeを用いる。ポリエチレンフォームテープは保護部材５２になる。ポリエチレンフォームテープの厚さは１．０ｍｍとする。ポリエチレンフォームテープは、第１リード線３１の両端である、導体部５近傍及び第１導電層６２近傍は被覆しない。裏面に設けられたポリエチレンフォームテープの第１導電層６２側の領域には、色テープ６１を貼り付ける。第１導電層６２近傍では、ポリエステルフィルムの両面にポリエステルテープを被覆する。ポリエステルテープには、スリーエムヘルスケア社の#1525Lを用いる。表面（Ａｇ／ＡｇＣｌインクが印刷された面）のポリエステルテープは絶縁層６４になり、裏面のポリエステルテープは支持部材６５になる。ポリエステルテープの厚さは０．１１ｍｍとする。絶縁層６４となるポリエステルテープには、第１導電層６２と第２導電層８１を導通させるためのスリットが形成される。該スリットが電極露出部６６である。スリットは幅を１ｍｍとし、長さを１０ｍｍとする。
【００４８】
つづいて、図９（ｃ）に示すように、各構成を所定の形状に切断する。切断はダイカッターにより行い、導体部５は直径１０ｍｍとし、リード部３１ａの幅は２ｍｍとし、雄型コネクタ６の構成（導電層支持部材６３、絶縁層６４、支持部材６５）の幅を９．５ｍｍ、長さを２５ｍｍとする。ここまでの工程で、雄型コネクタ６は生成される。
【００４９】
図９（ｄ）及び（ｅ）は、図９（ａ）〜（ｃ）と表裏が反対である。図９（ｄ）に示すように、導体部５及び導体支持部材５１は、導電性接着材とバッキングテープとの間に挟まれるように配置する。導電性接着材には、スリーエムヘルスケア社の #9880を用いる。導電性接着剤は導電性粘着部材１３になる。導電性接着材の幅は２５ｍｍとし、長さは４０ｍｍとする。また、バッキングテープには、スリーエムヘルスケア社の #1525Lを用いる。バッキングテープは、支持部材１１になる。バッキングテープは導電性接着剤と同様、幅は２５ｍｍとし、長さは４０ｍｍとする。導電性接着剤とバッキングテープとは、同一寸法であり、互いに接触面が一致している。導電性接着材とバッキングテープとが接着されることで、導体部５及び電極部２の各構成の位置関係が固定される。なお、導体支持部材５１と支持部材１１との間には、被覆テープ１２を設けてもよい。導電性粘着部材１３は、１００μｍの厚さを有するポリエステルライナー（剥離部材１４）上に設置する。そして最後に、図９（ｅ）に示すように、支持部材１１上に、色テープ６１と同一色の色テープ１５を貼り付ける。以上が、電極部２及び第１リード線３１の製造方法の一例である。
【００５０】
次に、本実施形態に係るコネクタ接続構造８、及びコネクタ接続構造を用いた生体電極１の作用・効果について説明する。
【００５１】
比較例に係る生体電極のコネクタ接続構造として、雄型コネクタと雌型コネクタとが接続された際に容易に導通が図られるよう、雄型コネクタの導電層が表面に設けられているものについて説明する。このようなコネクタ接続構造では、コネクタ接続時以外、すなわち、雄型コネクタが雌型コネクタに接続されている時以外においては、雄型コネクタの導電層は露出することとなる。このような露出した導電層は、プラグソケットに挿入されると導通のおそれがある。プラグソケットの差し込み口の幅は、７ｍｍや８．５ｍｍが多いところ、比較例に係るコネクタ接続構造の雄型コネクタでは、幅を９．５ｍｍ程度とし、プラグソケットの差し込み口に差し込むことができないようにすることが可能である。しかしながら、プラグソケットの種類によっては、差し込み口の幅が１２ｍｍ程度やそれ以上のものも存在し、その場合には、露出した雄型コネクタの導電層がプラグソケット等に挿入され、導通するおそれがある。
【００５２】
それに対し、本実施形態に係るコネクタ接続構造８では、雄型コネクタ６が絶縁層６４を有しているため、雄型コネクタ６をプラグソケットの差し込み口に挿入した場合においても、導通を抑制することができる（絶縁性を有する）。また、絶縁層６４は第１導電層６２の表面６２ｂの一部を露出させることが可能となっており、雌型コネクタ７の突起部８５が支持部材６５等を介して背面側から第１導電層６２を雌型コネクタ７の第２導電層８１に向かって押し付けることができるため、突起部８５の押し付けによって絶縁層６４から露出した第１導電層６２を第２導電層８１に導通させることができる。以上により、安全性を確保しながら、コネクタ接続時には確実に導通させることができる。当該コネクタ接続構造８を用いた生体電極１も同様の効果を奏することができる。
【００５３】
また、本実施形態に係るコネクタ接続構造８において、雄型コネクタ６は、第１導電層６２及び絶縁層６４を支持する支持層である導電層支持部材６３及び支持部材６５をさらに有し、第１導電層６２の厚さＴ１が絶縁層６４の厚さＴ２よりも薄いことにより、第１導電層６２の表面６２ｂが絶縁層６４の表面６４ｂよりも奥まった位置に配置されていることで、雄型コネクタ６をプラグソケットに挿入した場合に第１導電層６２とプラグソケットとが電気的に接続されることをより確実に抑制できる。また、雌型コネクタ７は、突起部８５が、導電層支持部材６３及び支持部材６５を介して第１導電層６２を背面側（支持部材６５側）から押し付け可能であるところ、突起部８５による第１導電層６２の押し付けが導電層支持部材６３及び支持部材６５を介することにより、より安定的に第１導電層６２と第２導電層８１とを導通させることができる。
【００５４】
また、本実施形態に係るコネクタ接続構造８において、雄型コネクタ６の絶縁層６４には、雄型コネクタ６と雌型コネクタ７との接続方向に延びるスリット状の、電極露出部６６が形成されており、雌型コネクタ７の突起部８５は、電極露出部６６の形状及び位置に応じて接続方向に延びる長尺または、各種凸形状の部材である。突起部８５が電極露出部６６の形状及び位置に応じて接続方向に延びる長尺または、各種凸形状の部材であるため、雄型コネクタ６と雌型コネクタ７とを接続して固定すると同時に、突起部８５によって第１導電層６２と第２導電層８１とを導通させることができる。
【００５５】
なお、本実施形態に係るコネクタ接続構造８では、リード線３を第１リード線３１及び第２リード線３２に分割し、第２リード線３２のみ金属線または炭素繊維束からなる導電性素材を含む構成としている。このため、リード線を分割せずにリード線全てに導電性炭素が含まれる構成とした場合と比較し、リード線における炭素繊維の量を減らすことが可能となっている。
【００５６】
また、比較例として、第１リード線３１に対応する部分の導体部として炭素繊維束を用いた場合、両端側の被覆部を除去し、一端側では電極部２と接続すると共に、他端側では雄型コネクタと（かしめ作業などによって）接続する必要がある。このように、比較例に係る構造では、被覆部の除去という工程が必要となる。また、雄型コネクタ側では、かしめ作業による接続を行った場合は、接続部における導電性に影響が及ぼされる場合がある。一方、本実施形態では、電極部２との接続を行う接続導電層９、及び雄型コネクタ６の第１導電層６２は、第１リード線３１の導体部５と一体に形成されている。本実施形態の生体電極１では、導体支持部材５１上に形成されて露出されている接続導電層９を、そのまま電極部２に接続すればよく、被覆部の除去などを不要とし、容易に接続作業を行うことができる。また、本実施形態のような接続構造によれば、比較例に係る構造のように被覆部を除去して炭素繊維束が露出した部分を電極部２に接続する接続構造に比して、電気的接続構造を減らすことができる。例えば、先行技術文献（特開平１０−２４８８２０号公報の段落００１４など）においては、電気的接続の信頼性のためエポキシテープとヒートプレス機により接合させているが、本発明の構成であれば、特別な配慮無く、電気的接続性を高められる。また、接続不良からくる心電図波形の乱れの抑制という点でも、本発明のような構成である方が、より信頼性の高い心電図波形を得る事ができる。また、本実施形態の生体電極１では、導電層支持部材５３上に形成されて露出されている第１導電層６２を、そのまま雄型コネクタ６として用いることができるため、被覆部の除去やかしめ作業などを不要とし、作業工程を容易にすることができる。また、本実施形態のような接続構造によれば、比較例に係る構造のように被覆部を除去して炭素繊維束が露出した部分をかしめて雄型コネクタに接続する接続構造に比して、かしめ作業などを不要とすることができるため接続性を向上することができる。
【００５７】
以上、本発明をその実施形態に基づいて詳細に説明した。しかし、本発明は上記実施形態に限定されるものではなく、その要旨を逸脱しない範囲で様々な変形が可能である。例えば、絶縁層６４に形成される電極露出部６６は絶縁層６４の幅方向中心に設けられている、として説明したが、これに限定されるものではなく、第１導電層６２の位置、及び、突起部８５の位置と対応した位置であれば、幅方向における端部側に設けられていてもよい。
【００５８】
[実施例]
以下、実施例に基づいて本発明の一形態に係るコネクタ接続構造を具体的に説明するが、コネクタ接続構造の構成は下記の実施例に限定されるものではない。なお、各実施例に係る構成は、上述した製造方法により生成したものであり、特段説明をしない各構成の材料や大きさ等は製造方法の説明で記載をしたとおりである。
【００５９】
（絶縁性）
電極露出部の幅、及び、絶縁層の厚さの条件を変えた雄型コネクタを複数（実施例１〜９）準備し、それぞれ、差し込み口が１２ｍｍであるプラグソケットに差し込んだ際の絶縁性について評価を行った。すなわち、雄型コネクタの第１導電層とプラグソケットの電極とが導通するか否かについて評価を行った。
【００６０】
実施例１に係る雄型コネクタは、絶縁層の厚さが０．１ｍｍであり、電極露出部の幅が１ｍｍである。また、実施例２に係る雄型コネクタは、絶縁層の厚さが０．１５ｍｍであり、電極露出部の幅が１ｍｍである。また、実施例３に係る雄型コネクタは、絶縁層の厚さが０．２ｍｍであり、電極露出部の幅が１ｍｍである。また、実施例４に係る雄型コネクタは、絶縁層の厚さが０．１ｍｍであり、電極露出部の幅が２ｍｍである。また、実施例５に係る雄型コネクタは、絶縁層の厚さが０．１５ｍｍであり、電極露出部の幅が２ｍｍである。また、実施例６に係る雄型コネクタは、絶縁層の厚さが０．２ｍｍであり、電極露出部の幅が２ｍｍである。また、実施例７に係る雄型コネクタは、絶縁層の厚さが０．１ｍｍであり、電極露出部の幅が３ｍｍである。また、実施例８に係る雄型コネクタは、絶縁層の厚さが０．１５ｍｍであり、電極露出部の幅が３ｍｍである。また、実施例２に係る雄型コネクタは、絶縁層の厚さが０．２ｍｍであり、電極露出部の幅が３ｍｍである。
【００６１】
実施例１〜９に係る雄型コネクタを、差し込み口が１２ｍｍであるプラグソケットに差し込んだ際の絶縁性についての評価結果を図１０に示す。図１０に示すように、電極露出部の幅を１ｍｍとした実施例１〜３に係る雄型コネクタは絶縁性を有し、電極露出部の幅を０．２ｍｍ又は０．３ｍｍとした実施例４〜９に係る雄型コネクタは導通が確認された。ただし、導電層が完全に露出している比較例に係る雄型コネクタと比較した場合、実施例４〜９の導通度合は、比較例に係る雄型コネクタより低く、安全性が確保されていることが理解される。なお、プラグソケットに差し込んだ際の導通をより確実に抑制することは、電極露出部の幅及び絶縁層の厚さの両方の条件を調整することにより可能である。よって、今回導通した電極露出部の幅（０．２ｍｍ及び０．３ｍｍ）であっても、絶縁層の厚さをさらに大きくすることによって、より確実に導通を抑制することができる。
【００６２】
（導通性）
上述した実施例１〜３の雄型コネクタを雌型コネクタに挿入し、固定部により雄型コネクタを固定した際の導通性について評価を行った。すなわち、固定部により固定した際の突起部の押し付けにより、雄型コネクタの第１導電層と雌型コネクタの第２導電層とが導通するか否かについて評価を行った。なお、第１導電層を第２導電層に向かって押し付ける突起部の厚さは０．２ｍｍとした。
【００６３】
実施例１〜３に係る雄型コネクタの導通性についての評価結果を図１１に示す。図１１に示すように、絶縁層の厚さを０．１ｍｍ及び０．１５ｍｍとした実施例１及び２に係る雄型コネクタは導通した。すなわち、突起部の押し付けにより第１導電層が第２導電層と導通した。一方、絶縁層の厚さを０．２ｍｍとした実施例３に係る雄型コネクタは導通しなかった。なお、突起部の厚さを０．２ｍｍとした条件下では、絶縁層の厚さを０．２ｍｍとすると第１導電層と第２導電層は導通しなかったが、突起部の厚さを大きくすることで、絶縁層の厚さが０．２ｍｍやそれ以上の大きさであっても、導通が可能となる。
【００６４】
（ＡＡＭＩ規格特性の評価）
上述した製造方法により生成した電極部及び第１リード線を含んだ生体電極の電極対として、実施例１０に係る生体電極の電極対と、実施例１１に係る生体電極の電極対とを準備した。実施例１０及び１１に係る生体電極の電極対は、同一の製造条件で製造された生体電極から任意に選択した生体電極の対である。実施例１０及び１１に係る生体電極の電極対について、ＡＡＭＩ規格特性に関して評価した。ＡＡＭＩ規格特性として、以下の項目について評価を行った。ＡＡＭＩ規格特性とは、ＡＡＭＩが、以下の基準及び試験方法を採用して、生体電極に関して確定している適正な性能である。最小基準に関する試験方法と規格は以下の４項目である。
（１）ＤＣオフセット電位（ＤＣＯ）：＜１００ｍＶ
（２）１０ＨｚでのＡＣインピーダンス（ＡＣＺ）：＜２０００Ω
（３）除細動後５秒後のオフセット電位（ＳＤＲ）：＜１００ｍＶ
（４）除細動後５秒後の回転速度（ＳＬＯＰＥ）：＜１ｍＶ／ｓ（絶対値）
（４回の充放電後５秒後の残留分極ポテンシャルの変化率）
【００６５】
実施例１０及び１１に係る生体電極の電極対についての評価結果を図１２に示す。図１２に示すように、実施例１０及び１１に係る生体電極は、ＡＡＭＩ規格の全ての項目について条件を満たしていた。ＤＣＯは実施例１０が５．５ｍＶ、実施例１１が１８．８ｍＶであり基準である１００ｍＶよりも十分に低い値となった。また、ＡＣＺは実施例１０が３４７Ω、実施例１１が３７６Ωであり基準である２０００Ωよりも十分に低い値となった。また、ＳＤＲは実施例１０が２６．３ｍＶ、実施例１１が３３．３ｍＶであり基準である１００ｍＶよりも十分に低い値となった。また、ＳＬＯＰＥは実施例１０及び１１がともに−０．６であり基準である１ｍＶ／ｓよりも十分に低い値となった。
【符号の説明】
【００６６】
１…生体電極、２…電極部、３…リード線（リード部）、４…コネクタ、５…導体部、６…雄型コネクタ、７…雌型コネクタ、８…コネクタ接続構造、９…接続導電層、３１…第１のリード線（第１のリード部）、３２…第２のリード線（第２のリード部）、６２…第１導電層、６３…導電層支持部材（支持層）、６４…絶縁層、６５…支持部材（支持層）、６６…電極露出部、７１…カバー部、７４…固定部、８１…第２導電層、８５…突起部。
【図１】
2014217526.tif 000003
【図２】
2014217526.tif 000004
【図３】
2014217526.tif 000005
【図４】
2014217526.tif 000006
【図５】
2014217526.tif 000007
【図６】
2014217526.tif 000008
【図７】
2014217526.tif 000009
【図８】
2014217526.tif 000010
【図９】
2014217526.tif 000011
【図１０】
2014217526.tif 000012
【図１１】
2014217526.tif 000013
【図１２】
2014217526.tif 000014
【図１３】
2014217526.tif 000015